(57)【要約】【課題】正極電極及び負極電極１枚１枚の特性差が各組の電極の端子に現れることを抑制して、電池全体に現れる特性差を緩和する。【解決手段】二次電池用電極組立体１０は、矩形状に形成された集電体１３上に活物質１４が塗布された正極１１と負極１２とが積層された構成である。正極１１に設けられる正極端子用接続部１１ａと負極１２に設けられる負極端子用接続部１２ａは、電流経路を形成する組をなす正極１１と負極１２における第１辺Ｓ１と、第１辺Ｓ１に繋がる第２辺Ｓ２及び第３辺Ｓ３における各中間位置よりも第１辺Ｓ１側の部分との範囲内において、相互に重ならない状態で設けられている。電流経路を形成する組をなす正極１１及び負極１２には切れ込み１５が形成され、切れ込み１５は、正極端子用接続部１１ａと負極端子用接続部１２ａの間の位置において、第１辺Ｓ１から第４辺Ｓ４に向かって延びている。【選択図】図１
2013149489.tif 000002
【特許請求の範囲】
【請求項１】
矩形状に形成された集電体上に活物質が塗布された正極と、矩形状に形成された集電体上に活物質が塗布された負極とが積層された構成の蓄電装置用電極組立体であって、
前記正極に設けられる正極端子用接続部と前記負極に設けられる負極端子用接続部は、電流経路を形成する組をなす前記正極と前記負極における４辺のうちのいずれか１辺である第１辺と、前記第１辺に繋がる第２辺及び第３辺における各中間位置よりも前記第１辺側の部分との範囲内において、相互に重ならない状態で設けられ、
電流経路を形成する組をなす前記正極及び前記負極には切れ込みが形成され、
前記切れ込みは、前記正極端子用接続部と前記負極端子用接続部の間の位置において、前記第１辺から前記第２辺及び前記第３辺に繋がる第４辺に向かって延び、
前記切れ込みの一端は、前記第１辺で開放されているか又は前記第１辺からの距離が第１の距離に設定され、前記切れ込みの他端は、前記第４辺からの距離が前記第１の距離より大きい第２の距離に設定されている
ことを特徴とする蓄電装置用電極組立体。
【請求項２】
前記正極端子用接続部及び前記負極端子用接続部は前記正極及び前記負極の前記第１辺に設けられている請求項１に記載の蓄電装置用電極組立体。
【請求項３】
前記切れ込みは、前記第１辺側の端部が前記第１辺で開放されている請求項１又は請求項２に記載の蓄電装置用電極組立体。
【請求項４】
前記切れ込みにおける前記第４辺側の端部から前記第４辺までの距離が、前記切れ込みから前記第２辺及び前記第３辺のうち前記正極端子用接続部に近い方の辺までの距離以上である請求項１〜請求項３のいずれか一項に記載の蓄電装置用電極組立体。
【請求項５】
前記切れ込みの長さは、前記第１辺から前記第４辺までの距離の１／３以上である請求項１〜請求項４のいずれか一項に記載の蓄電装置用電極組立体。
【請求項６】
前記切れ込みの前記第４辺側の端部の形状が、直径が前記切れ込みの幅より大きな円の一部を構成するように形成されている請求項３〜請求項５のいずれか一項に記載の蓄電装置用電極組立体。
【請求項７】
前記切れ込みにおける前記第１辺側の端部から前記第１辺までの距離が、前記第２辺の長さの１／１０以下である請求項１〜請求項６のいずれか一項に記載の蓄電装置用電極組立体。
【請求項８】
前記切れ込みにおける前記第４辺側の端部から前記第４辺までの距離が、前記第２辺の長さの１／３以上である請求項１〜請求項７のいずれか一項に記載の蓄電装置用電極組立体。
【請求項９】
請求項１〜請求項８のいずれか一項に記載の蓄電装置用電極組立体を備えた蓄電装置。
【請求項１０】
請求項９に記載の蓄電装置を搭載した車両。
【発明の詳細な説明】
【技術分野】
【０００１】
本発明は、蓄電装置用電極組立体及び蓄電装置並びにその蓄電装置を搭載した車両に関する。
【背景技術】
【０００２】
二次電池は再充電が可能であり、繰り返し使用することができるため電源として広く利用されている。近年、化石燃料の使用削減（二酸化炭素排出規制）が求められており、電気自動車やハイブリッド車等の主電源や補助電源に使用される二次電池では、大電流での充電及び放電や二次電池の大容量化が要求されるようになっている。
【０００３】
二次電池として電池容器（電槽）に複数の発電要素を収容するとともに、正負の端子も複数ずつ備えたものがある。ところが、共通電解液中の各発電要素に正極端子及び負極端子を設けると、個々の発電要素毎の電池特性に差があった場合に、その特性差がそのまま各組の正極端子及び負極端子に現れるという問題がある。この問題を緩和するため、巻回型の発電要素が複数個収容される電池容器に正極端子と負極端子とがそれぞれ複数個ずつ取り付けられ、これらの各端子が電池容器内部でそれぞれ集電接続体を介して複数個全ての発電要素の対応する電極に接続された電池が提案されている（特許文献１参照）。
【０００４】
具体的には、図５に示すように、電池容器（図示せず）の開口部を覆うニ対の端子部蓋体５１，５２に、正極端子５３と負極端子５４とがそれぞれ取り付けられ、これら各端子５３，５４が電池容器の内部でそれぞれ集電接続体５５を介して２個の発電要素５６の対応する電極に接続された構成とする。
【先行技術文献】
【特許文献】
【０００５】
【特許文献１】特開２００４−２１３９３７号公報
【発明の概要】
【発明が解決しようとする課題】
【０００６】
ところが、特許文献１の構成では、正負の複数個ずつの端子をそれぞれ全ての発電要素の電極群に接続するためにスペースが必要となり、電池のエネルギ密度が低下するという問題がある。
【０００７】
本発明は、前記の問題に鑑みてなされたものであって、その目的は、正極電極及び負極電極１枚１枚の特性差が各組の電極の端子に現れることを抑制して、蓄電装置全体に現れる特性差を緩和することができる蓄電装置用電極組立体及び蓄電装置並びにその蓄電装置を搭載した車両を提供することにある。
【課題を解決するための手段】
【０００８】
前記の目的を達成するため、請求項１に記載の発明は、矩形状に形成された集電体上に活物質が塗布された正極と、矩形状に形成された集電体上に活物質が塗布された負極とが積層された構成の蓄電装置用電極組立体である。そして、前記正極に設けられる正極端子用接続部と前記負極に設けられる負極端子用接続部は、電流経路を形成する組をなす前記正極と前記負極における４辺のうちのいずれか１辺である第１辺と、前記第１辺に繋がる第２辺及び第３辺における各中間位置よりも前記第１辺側の部分との範囲内において、相互に重ならない状態で設けられている。電流経路を形成する組をなす前記正極及び前記負極には切れ込みが形成され、前記切れ込みは、前記正極端子用接続部と前記負極端子用接続部の間の位置において、前記第１辺から前記第２辺及び前記第３辺に繋がる第４辺に向かって延び、前記切れ込みの一端は、前記第１辺で開放されているか又は前記第１辺からの距離が第１の距離に設定され、前記切れ込みの他端は、前記第４辺からの距離が前記第１の距離より大きい第２の距離に設定されている。ここで、「端子用接続部」とは、集電部材が溶接や半田等により接続される部分あるいは集電体に一体形成された集電部材の役割を果たす部分を意味する。また、「矩形状に形成された」とは、厳密な矩形ではなく、例えば、矩形の四隅の一部あるいは全部が面取りされた形状に形成されたものや、対向する二辺が厳密に平行ではなく多少傾いた形状に形成されているものを含む。
【０００９】
正極及び負極は直接接触しない状態で、例えば、セパレータを介して積層され、正極端子用接続部及び負極端子用接続部も重ならない状態で設けられる。活物質の反応は、正極端子用接続部及び負極端子用接続部に近い部分で強く、遠い部分で弱くなる。そして、正極から負極へ流れる電流は、正極及び負極の集電体全体に亘って均一に流れるのではなく、正極用活物質の反応の強い部分から負極用活物質の反応の強い部分に向かうように流れる。また、一般に電極は矩形状に形成されるため、正極端子用接続部及び負極端子用接続部から遠い隅部は電流の流れが弱くなる。
【００１０】
この発明では、正極及び負極を構成する集電体には切れ込みが存在し、その切れ込みが存在することにより、その切れ込みが存在しない場合に比べて、正極端子用接続部が設けられた部分から負極端子用接続部が設けられた部分へ向かって流れる電流の主な電流経路が長くなる。「主な電流経路」とは、正極端子用接続部から負極端子用接続部に向かって流れる電流の大部分が流れる経路を意味する。主な電流経路が長くなると、主な電流経路を流れる電流は活物質の反応の弱かった部分に近づいて流れるようになり、反応の弱かった部分の反応が相対的に強くなる。そのため、電流分布の偏りが少なくなる。したがって、正極電極及び負極電極１枚１枚の特性差が各組の電極の端子に現れることを抑制して、電池全体に現れる特性差を緩和することができる。また、集電体に切れ込みが存在するため、集電体に切れ込みが存在しない場合に比べて、活物質への電解液の含浸に要する時間を短くすることができる。
【００１１】
請求項２に記載の発明は、請求項１に記載の発明において、前記正極端子用接続部及び前記負極端子用接続部は前記正極及び前記負極の前記第１辺に設けられている。したがって、この発明は、例えば箱状のケースの一面に正極端子及び負極端子が設けられた一般的な蓄電装置に好適に使用することができる。
【００１２】
請求項３に記載の発明は、請求項１又は請求項２に記載の発明において、前記切れ込みは、前記第１辺側の端部が前記第１辺で開放されている。したがって、切れ込みを長孔で形成する場合に比べて製造が容易になる。また、切れ込みの形状が長孔の場合に比べて活物質への電解液の含浸に要する時間を短くすることができる。
【００１３】
請求項４に記載の発明は、請求項１〜請求項３のいずれか一項に記載の発明において、前記切れ込みにおける前記第４辺側の端部から前記第４辺までの距離が、前記切れ込みから前記第２辺及び前記第３辺のうち前記正極端子用接続部に近い方の辺までの距離以上である。
【００１４】
主な電流経路が長くなると、主な電流経路を流れる電流は活物質の反応の弱かった部分に近づいて流れるようになるが、主な電流経路をあまり長くすると、主な電流経路の断面積が小さくなり、正極端子用接続部から負極端子用接続部へ向かって流れる電流量が抑制される。この発明では、切れ込みは、第４辺側の端部から前記第４辺までの距離が、切れ込みから第２辺及び第３辺のうち正極端子用接続部に近い方の辺までの距離以上であるため、主な電流経路を通って正極端子用接続部から負極端子用接続部へ向かって流れる電流の電流量が抑制されることはない。
【００１５】
請求項５に記載の発明は、請求項１〜請求項４のいずれか一項に記載の発明において、前記切れ込みの長さは、前記第１辺から前記第４辺までの距離の１／３以上である。切れ込みの長さが短すぎると、主な電流経路を流れる電流が活物質の反応の弱かった部分に近づく割合が小さくなり、反応の弱かった部分における反応がさほど強くならない。この発明では、切れ込みの長さは、前記第１辺から前記第４辺までの距離の１／３以上であるため、反応の弱かった部分における反応は、正極端子用接続部が設けられた部分から負極端子用接続部が設けられた部分へ向かって流れる電流の電流分布の偏りが少なくなる程度に相対的に強くなる。
【００１６】
請求項６に記載の発明は、請求項３〜請求項５のいずれか一項に記載の発明において、前記切れ込みの前記第４辺側の端部の形状が、直径が前記切れ込みの幅より大きな円の一部を構成するように形成されている。したがって、この発明では、蓄電装置用電極組立体が蓄電装置に組み込まれて使用された場合に、切れ込みの先端が矩形状や三角形等の尖った部分を有する場合に比べて、切れ込みの先端から浸食が進み難くなり、耐久性が向上する。
【００１７】
請求項７に記載の発明は、請求項１〜請求項６のいずれか一項に記載の発明において、前記切れ込みにおける前記第１辺側の端部から前記第１辺までの距離が、前記第２辺の長さの１／１０以下である。切れ込みにおける第１辺側の端部から第１辺までの距離が、第２辺の長さの１／１０より大きくなると、切れ込みにおける第１辺側の端部と第１辺との間を電流が通り易くなってしまうため、迂回の効果が小さくなるので、１／１０以下が好ましい。
【００１８】
請求項８に記載の発明は、請求項１〜請求項７のいずれか一項に記載の発明において、前記切れ込みにおける前記第４辺側の端部から前記第４辺までの距離が、前記第２辺の長さの１／３以上である。切れ込みにおける第４辺側の端部から第４辺までの距離が、第２辺の長さの１／３より小さくなると、切れ込みにおける第４辺側の端部と第４辺との間を電流が通り難くなってしまうため、迂回の効果が小さくなるので、１／３以上が好ましい。
【００１９】
請求項９に記載の発明は、請求項１〜請求項８のいずれか一項に記載の蓄電装置用電極組立体を備えた蓄電装置である。この発明の蓄電装置は、正極電極及び負極電極１枚１枚の特性差が各組の電極の端子に現れることを抑制して、蓄電装置全体に現れる特性差を緩和することができる。
【００２０】
請求項１０に記載の発明は、請求項９に記載の蓄電装置を搭載した車両である。したがって、この発明の車両は請求項９に記載の蓄電装置の効果が得られる。
【発明の効果】
【００２１】
本発明によれば、正極電極及び負極電極１枚１枚の特性差が各組の電極の端子に現れることを抑制して、蓄電装置全体に現れる特性差を緩和することができる蓄電装置用電極組立体及び蓄電装置並びにその蓄電装置を搭載した車両を提供することができる。
【図面の簡単な説明】
【００２２】
【図１】（ａ）は二次電池用電極組立体の模式図、（ｂ）は正極の部分模式断面図、（ｃ）は作用を示す二次電池用電極組立体の模式図、（ｄ）は比較用の二次電池用電極組立体の作用を示す模式図。
【図２】別の実施形態の二次電池用電極組立体の模式図。
【図３】別の実施形態の二次電池用電極組立体の模式図。
【図４】（ａ）は別の実施形態の二次電池用電極組立体の模式図、（ｂ）は別の実施形態の二次電池用電極組立体の模式図。
【図５】従来技術の模式分解斜視図。
【発明を実施するための形態】
【００２３】
以下、本発明を具体化した一実施形態を図１にしたがって説明する。
図１（ａ）に示すように、蓄電装置用電極体としての二次電池用電極組立体１０は、正極１１と負極１２とが図示しないセパレータを挟んで複数層に積層された構成である。正極１１には正極端子用接続部１１ａが設けられ、負極１２には負極端子用接続部１２ａが設けられている。図１（ｂ）に示すように、正極１１及び負極１２は、金属製の集電体１３上に活物質１４が塗布された構成である。活物質１４は、例えば、ニッケル水素電池とリチウムイオン電池のように二次電池の種類によって異なる。また、同じ種類の二次電池でも正極１１の集電体１３に塗布されるものと負極１２の集電体１３に塗布されるものとでは異なる。
【００２４】
この実施形態では、正極１１及び負極１２は矩形状に形成されるとともに、正極端子用接続部１１ａ及び負極端子用接続部１２ａは正極１１及び負極１２の同じ側、（図１（ａ）では矩形の上側の辺）に設けられている。以下、図１（ａ）における矩形の上側の辺を第１辺Ｓ１、第１辺の左端に繋がる辺を第２辺Ｓ２、第１辺Ｓ１の右端に繋がる辺を第３辺Ｓ３、第１辺Ｓ１と対向する辺を第４辺Ｓ４とそれぞれ称す。
【００２５】
正極端子用接続部１１ａ及び負極端子用接続部１２ａは、集電体１３の一部が突出した状態で形成されており、正極端子用接続部１１ａ及び負極端子用接続部１２ａには活物質１４が塗布されていない。
【００２６】
正極１１に設けられる正極端子用接続部１１ａと負極１２に設けられる負極端子用接続部１２ａは、電流経路を形成する組をなす正極１１と負極１２における４辺のうちのいずれか１辺である第１辺Ｓ１と、第１辺Ｓ１に繋がる第２辺Ｓ２及び第３辺Ｓ３における各中間位置よりも第１辺Ｓ１側の部分との範囲内において、相互に重ならない状態で設けられている。
【００２７】
組をなす正極１１及び負極１２には、正極端子用接続部１１ａが設けられた部分から負極端子用接続部１２ａが設けられた部分へ向かって流れる電流の主な電流経路を長くするために、集電体１３が切れている箇所としての切れ込み１５が存在する。切れ込み１５は、正極端子用接続部１１ａと負極端子用接続部１２ａの間の位置において、第１辺Ｓ１から第２辺Ｓ２及び第３辺Ｓ３に繋がる第４辺Ｓ４に向かって延び、切れ込み１５の一端は、第１辺Ｓ１で開放されている。
【００２８】
図１（ａ）に示すように、正極１１に設けられた切れ込み１５は、その他端から第４辺Ｓ４までの距離Ｌ１が、切れ込み１５から第２辺Ｓ２及び第３辺Ｓ３のうち正極端子用接続部１１ａに近い方の辺（この実施形態では両者同じ）までの距離Ｌ２以上である。また、切れ込み１５の長さＬ３は、第１辺Ｓ１から第４辺Ｓ４までの距離Ｌ０の１／３以上である。即ち、切れ込み１５の他端から第４辺Ｓ４までの距離が第２辺Ｓ２の長さの１／３以上である。
【００２９】
同様に、負極１２に設けられた切れ込み１５は、その他端から第４辺Ｓ４までの距離Ｌ１が、切れ込み１５から第２辺Ｓ２及び第３辺Ｓ３のうち正極端子用接続部１１ａに近い方の辺（この実施形態では両者同じ）までの距離Ｌ２以上である。また、切れ込み１５の長さＬ３は、第１辺Ｓ１から第４辺Ｓ４までの距離Ｌ０の１／３以上である。即ち、切れ込み１５の他端から第４辺Ｓ４までの距離が第２辺Ｓ２の長さの１／３以上である。
【００３０】
なお、図１（ａ）では、二次電池用電極組立体１０の構成を分かり易くするため２枚の正極１１と１枚の負極１２とが組をなす状態で描いたが、実際は、正極１１及び負極１２の組数は複数ある。
【００３１】
次に前記のように構成された二次電池用電極の作用を説明する。
二次電池用電極組立体１０は、図示しない電池ケースに収容されるとともに正極端子用接続部１１ａが正極端子に電気的に接続され、負極端子用接続部１２ａが負極端子に電気的に接続され、電解液と共に図示しない二次電池が構成される。
【００３２】
図１（ｃ）は実施形態の二次電池用電極組立体１０を使用した二次電池の放電時（出力時）に、二次電池用電極組立体１０に流れる主電流の状態を示す模式図であり、図１（ｄ）は切れ込み１５がない比較例の二次電池用電極組立体１０を使用した二次電池の放電時（出力時）に、二次電池用電極組立体１０に流れる主電流の状態を示す模式図である。図１（ｃ），（ｄ）に示すように、正極１１には、正極端子用接続部１１ａが存在する箇所から負極１２の負極端子用接続部１２ａが設けられた箇所と対応する部分に向かって主電流（矢印で示す）が流れる。
【００３３】
活物質１４の反応は、正極端子用接続部１１ａ及び負極端子用接続部１２ａに近い部分で強く、遠い部分で弱くなる。そして、正極１１から負極１２へ流れる電流は、正極１１及び負極１２の集電体１３全体に亘って均一に流れるのではなく、正極１１の活物質１４の反応の強い部分から負極１２の活物質１４の反応の強い部分に向かうように流れる。
【００３４】
図１（ｄ）に示すように、正極１１及び負極１２に切れ込み１５のない二次電池用電極組立体１０では、矩形状の正極１１及び負極１２の、正極端子用接続部１１ａ及び負極端子用接続部１２ａが設けられた側と反対側の二隅及び中央部に活物質１４の反応の弱い部分（二点鎖線で囲んだ部分Ａ）が生じる。なお、図１（ｄ）に示す放物線状の線は、それぞれ活物質１４の反応状態が同じとなる箇所を模式的に結んだものであり、正極端子用接続部１１ａあるいは負極端子用接続部１２ａと対応する箇所から遠いほど反応が弱くなることを模式的に示している。
【００３５】
一方、正極１１及び負極１２に切れ込み１５が形成された実施形態の二次電池用電極組立体１０では、正極１１及び負極１２の正極端子用接続部１１ａ及び負極端子用接続部１２ａが設けられた側に切れ込み１５が存在する。そのため、図１（ｃ）に示すように、正極１１及び負極１２を流れる主電流の経路は、切れ込み１５を避けるように正極端子用接続部１１ａ及び負極端子用接続部１２ａが設けられた側と反対側へ移動して主な電流経路が長くなり、主な電流経路を流れる電流は活物質１４の反応の弱かった部分（二点鎖線で囲んだ部分Ａ）に近づいて流れるようになる。それに伴い、反応の弱かった部分の反応が相対的に強くなり、集電体１３を流れる電流分布の偏りが少なくなる。
【００３６】
前記のように構成された二次電池は種々の用途に使用されるが、例えば、車両に搭載された状態でも使用される。  
この実施形態によれば、以下に示す効果を得ることができる。
【００３７】
（１）二次電池用電極組立体１０は、矩形状に形成された集電体１３上に活物質１４が塗布された正極１１と、矩形状に形成された集電体１３上に活物質１４が塗布された負極１２とが積層された構成である。正極１１に設けられる正極端子用接続部１１ａと負極１２に設けられる負極端子用接続部１２ａは、電流経路を形成する組をなす正極１１と負極１２における４辺のうちのいずれか１辺である第１辺Ｓ１と、第１辺Ｓ１に繋がる第２辺Ｓ２及び第３辺Ｓ３における各中間位置よりも第１辺Ｓ１側の部分との範囲内において、相互に重ならない状態で設けられている。電流経路を形成する組をなす正極１１及び負極１２には切れ込み１５が形成されている。切れ込み１５は、正極端子用接続部１１ａと負極端子用接続部１２ａの間の位置において、第１辺Ｓ１から第２辺Ｓ２及び第３辺Ｓ３に繋がる第４辺Ｓ４に向かって延びている。そのため、集電体１３に切れ込み１５が存在しない場合に比べて、活物質１４の反応の弱かった部分の反応が相対的に強くなり、電流分布の偏りが少なくなる。したがって、正極電極及び負極電極１枚１枚の特性差が各組の電極の端子に現れることを抑制して、二次電池全体に現れる特性差を緩和することができる。
【００３８】
（２）正極１１及び負極１２はそれぞれ矩形状に形成され、正極端子用接続部１１ａ及び負極端子用接続部１２ａは正極１１及び負極１２の同じ側に設けられている。したがって、例えば箱状のケースの一面に正極端子及び負極端子が設けられた一般的な二次電池に好適に使用することができる。
【００３９】
（３）電極即ち正極１１及び負極１２に切れ込み１５が形成されているため、即ち、電極が一部切り取られているため、その部分を電解液が通過して電解液が含浸し易くなり、電解液の含浸性向上が図られる。二次電池の製造工程には、電池ケース内に収容された二次電池用電極組立体１０を構成する集電体１３に塗布された活物質１４に電解液を含浸させる工程があり、この含浸に時間がかかると生産性が悪くなる。しかし、切れ込み１５が形成されていることにより、含浸時間の短縮を図ることができ、タクトを向上することができる。
【００４０】
（４）集電体１３に形成された切れ込み１５は、第１辺Ｓ１側の端部が第１辺Ｓ１で開放されている。したがって、切れ込み１５を長孔で形成する場合に比べて製造が容易になる。また、切れ込み１５の形状が長孔の場合に比べて活物質１４への電解液の含浸に要する時間を短くすることができる。
【００４１】
（５）切れ込み１５における第４辺Ｓ４側の端部から第４辺Ｓ４までの距離Ｌ１が、切れ込み１５から第２辺Ｓ２及び第３辺Ｓ３のうち正極端子用接続部１１ａに近い方の辺までの距離Ｌ２以上である。主な電流経路が長くなると、主な電流経路を流れる電流は活物質１４の反応の弱かった部分に近づいて流れるようになるが、主な電流経路をあまり長くすると、主な電流経路の断面積が小さくなり、正極端子用接続部１１ａから負極端子用接続部１２ａへ向かって流れる電流量が抑制される。しかし、切れ込み１５は、第４辺Ｓ４側の端部から第４辺Ｓ４までの距離Ｌ１が、切れ込み１５から第２辺Ｓ２及び第３辺Ｓ３のうち正極端子用接続部１１ａに近い方の辺までの距離Ｌ２以上であるため、主な電流経路を通って正極端子用接続部１１ａから負極端子用接続部１２ａへ向かって流れる電流の電流量が抑制されることはない。
【００４２】
（６）切れ込み１５の長さは、第１辺Ｓ１から第４辺Ｓ４までの距離の１／３以上である。切れ込みの長さが短すぎると、主な電流経路を流れる電流が活物質１４の反応の弱かった部分に近づく割合が小さくなり、反応の弱かった部分における反応がさほど強くならない。しかし、切れ込み１５の長さは、第１辺Ｓ１から第４辺Ｓ４までの距離の１／３以上であるため、反応の弱かった部分における反応は、正極端子用接続部１１ａが設けられた部分から負極端子用接続部１２ａが設けられた部分へ向かって流れる電流の電流分布の偏りが少なくなる程度に相対的に強くなる。
【００４３】
（７）二次電池は前記構成の二次電池用電極組立体１０を備えているため、（１）〜（６）の効果を奏する。
（８）二次電池を搭載した車両は、その二次電池が有する効果を得ることができる。
【００４４】
実施形態は前記に限定されるものではなく、例えば、次のように具体化してもよい。
○  正極端子及び負極端子がそれぞれ１個ずつ設けられた二次電池用の二次電池用電極組立体１０に限らず、図２に示すように、正極端子及び負極端子がケースの反対側にそれぞれ１個ずつ設けられた二次電池用の二次電池用電極組立体１０に適用してもよい。
【００４５】
○  図３に示すように、矩形の長辺側に正極端子用接続部１１ａ及び負極端子用接続部１２ａが設けられた正極１１及び負極１２の組と、矩形の短辺側に正極端子用接続部１１ａ及び負極端子用接続部１２ａが設けられた正極１１及び負極１２の組とを備えた二次電池用電極組立体１０に適用してもよい。
【００４６】
○  集電体１３に形成された切れ込み１５は、第１辺Ｓ１側が開放されたものに限らず、例えば、図４（ａ）に示すように、長孔１６であってもよい。即ち、切れ込み１５の一端は、第１辺Ｓ１で開放されているか又は第１辺Ｓ１からの距離Ｌ４が第１の距離に設定され、切れ込み１５の他端は、第４辺Ｓ４からの距離Ｌ１が第１の距離より大きい第２の距離に設定されていればよい。長孔１６を形成した場合、正極端子用接続部１１ａが存在する箇所から負極１２の負極端子用接続部１２ａが設けられた箇所と対応する部分に向かって流れる電流として主電流（矢印で示す）の他に、長孔１６と正極１１の正極端子用接続部１１ａが設けられた側の縁との間を流れる電流も有るが、その量は少ない。
【００４７】
○  切れ込み１５における第１辺Ｓ１側の端部から第１辺Ｓ１までの距離が、第２辺Ｓ２の長さの１／１０以下であることが好ましい。切れ込み１５における第１辺Ｓ１側の端部から第１辺までの距離Ｌ４が、第２辺の長さの１／１０より大きくなると、切れ込みにおける第１辺側の端部と第１辺との間を電流が通り易くなってしまうため、迂回の効果が小さくなるので、１／１０以下が好ましい。第１辺Ｓ１側が開放された切れ込み１５は、切れ込み１５における第１辺Ｓ１側の端部から第１辺までの距離Ｌ４が零であり、この条件を当然満足する。
【００４８】
○  長孔１６は一定幅の形状に限らず、例えば、三角形状や長円状であってもよい。
○  図４（ｂ）に示すように、切れ込み１５は、第４辺Ｓ４側の端部の形状が、直径が切れ込み１５の幅より大きな円の一部を構成するように形成されていてもよい。この場合、二次電池用電極組立体１０が二次電池に組み込まれて使用された場合に、切れ込み１５の端部が矩形状や三角形等の尖った部分を有する場合に比べて、切れ込み１５の端部から浸食が進み難くなり、耐久性が向上する。長孔１６の場合も同様である。
【００４９】
○  切れ込み１５の数は１個に限らず複数設けたり、切れ込み１５と長孔１６の両方を形成したりしてもよい。
○  正極１１及び負極１２に形成される切れ込み１５を、正極１１及び負極１２がセパレータを挟んで重ねた状態で、各切れ込み１５が重なる位置に設定して、セパレータにも対応する位置に切れ込みを形成する。そして、二次電池のケース側あるいはケース内部に設置された部材に切れ込み１５が係合する凸部を設けてもよい。この場合、二次電池用電極組立体１０を組み立てる際、積層時の電極及びセパレータの位置決めを容易に行うことができる。即ち、切れ込み１５は積層電極の位置決め部として利用することができる。
【００５０】
○  正極１１及び負極１２は、第１辺Ｓ１の中央を通って第１辺Ｓ１と直交する仮想線上に切れ込み１５が設けられ、正極端子用接続部１１ａ及び負極端子用接続部１２ａはその仮想線（切れ込み１５）に対して非対称な位置に設けられた構成としてもよい。また、正極端子用接続部１１ａ及び負極端子用接続部１２ａは切れ込み１５から同じ距離に設けられ、切れ込み１５が前記仮想線から離れた位置に設けられた構成としてもよい。それらの場合、切れ込み１５における第４辺Ｓ４側の端部から第４辺Ｓ４までの距離が、切れ込み１５から第２辺Ｓ２及び第３辺Ｓ３のうち正極端子用接続部１１ａに近い方の辺までの距離以上に設定される。
【００５１】
○  組を成す正極１１及び負極１２の数は、正極１１と負極１２が同じでも、負極１２が正極１１より多くてもよい。
○  電解質として固体電解質もしくはゲル状電解質を使用する場合には、電解質自体がセパレータとして機能し、セパレータが不要な場合もある。
【００５２】
○  正極端子用接続部１１ａ及び負極端子用接続部１２ａは、集電体１３の一部が突出した形状で一体形成された構成に限らない。例えば、電極端子と集電体１３とを電気的に接続する集電部材が接合される部分に活物質１４を塗布しないようにして正極端子用接続部１１ａ及び負極端子用接続部１２ａを形成してもよい。
【００５３】
○  正極１１及び負極１２の形状である「矩形状」とは、厳密な矩形ではなく、例えば、矩形の四隅の一部あるいは全部が面取りされた形状に形成されたものや、対向する二辺が厳密に平行ではなく多少傾いた形状に形成されているものを含む。
【００５４】
○  電極体は、二次電池に用いられる二次電池用電極組立体１０に限定されず、電気二重層キャパシタやリチウムイオンキャパシタ等のキャパシタに用いられる電極体であっても良い。
【符号の説明】
【００５５】
Ｌ０，Ｌ１，Ｌ２，Ｌ４…距離、Ｌ３…長さ、Ｓ１…第１辺、Ｓ２…第２辺、Ｓ３…第３辺、Ｓ４…第４辺、１０…二次電池用電極組立体、１１…正極、１１ａ…正極端子用接続部、１２…負極、１２ａ…負極端子用接続部、１３…集電体、１４…活物質、１５…切れ込み。
【図１】
2013149489.tif 000003
【図２】
2013149489.tif 000004
【図３】
2013149489.tif 000005
【図４】
2013149489.tif 000006
【図５】
2013149489.tif 000007